(57)【特許請求の範囲】
【請求項１】
弦とハンマーシャンクとの間に配置される回動軸と、
上記回動軸の周面から一方向に突出され、上記回動軸の第一の回動位置において上記ハンマーシャンクの先端に設けられたハンマーが上記弦を叩くのを阻止し、上記回動軸の第二の回動位置において上記ハンマーが上記弦を叩くのを阻止しない消音バーと、
上記回動軸を支持し、ピアノの消音装置の取り付け時に回動可能な回動アームと、
ハンマーレールに取り付けられ、上記回動アームを固定する回動アーム固定具と、
を備え、
上記回動アーム固定具は、上記ハンマーレールを下から固定するブラケットとぶつからないように上記ハンマーレールを跨いでいる、
ことを特徴とするピアノの消音装置。
【請求項２】
請求項１に記載のピアノの消音装置において、
上記回動アーム固定具は、
上記ハンマーレールの上面に接する中央部と、
上記中央部の一端から下方に突出し、上記ハンマーレールの背面に係合する係合部と、
上記ハンマーレールの前面に付き当てられる回動アーム固定具取付ねじが螺合され、上記中央部の他端から下方に伸びる固定部と、
を備える、
ことを特徴とするピアノの消音装置。
【請求項３】
請求項１又は２に記載のピアノの消音装置において、
上記回動アーム固定具は、樹脂成型により形成されている、
ことを特徴とするピアノの消音装置。
【請求項４】
請求項２に記載のピアノの消音装置において、
上記固定部は、上記回動アーム固定具取付ねじが螺合されるねじ穴が形成された基部と、その基部の両端から上記ブラケット方向に伸びる２つの脚部と、を備え、
上記２つの脚部の間に、上記ブラケットの一部が挟まれている、
ことを特徴とするピアノの消音装置。
【請求項５】
請求項１から４の何れかに記載のピアノの消音装置を備える消音装置付きピアノ。
【発明の詳細な説明】
【技術分野】
【０００１】
この発明は、ハンマーの打弦を阻止することにより弦から音を発生させない代わりに、押鍵に応じて電子的に音を発生させる、グランドピアノ等のアコースティックピアノに取り付け可能なピアノの消音装置及びそのピアノの消音装置を備えた消音装置付きピアノに関する。
【背景技術】
【０００２】
図５を参照して、グランドピアノの構成の概要を説明する。グランドピアノは、図５に示すように、床面と平行に支持される棚板１６と、この棚板１６の周縁に所定の高さを維持してめぐらされ、前方（鍵が配置される方向）に開放面を形成する側板１７と、この側板１７の互いに対向する面の上側の相互に差し渡されたピン板２８と、このピン板２８と側板１７とによって囲まれる平面に実装されるフレーム８と、このフレーム８とピン板２８の上に設けられたチューニングピン９と、このチューニングピン９と図示していないこまピンとにより両端が固定され、所望の音高の音を発生する弦１０とを備える。
【０００３】
棚板１６と側板１７とピン板２８とによって囲われる空洞６に、図６に示すように、鍵盤メカユニット２０が配置される。鍵盤メカユニット２０は、棚板１６の上に配置される基台２１と、この基台２１の上に各弦１０に対応して設けられた鍵１９と、この鍵１９の押鍵によって動かされるレペティション装置７と、このレペティション装置７により力を受けて動くハンマーシャンク１１と、このハンマーシャンク１１の回動遊端に取り付けられ、弦１０を叩いて音を発生させるハンマー１４と、ハンマーシャンク１１を回動自在に支持するハンマーレール２５と、このハンマーレール２５を基台２１に固定するブラケット２６とを備える。鍵盤メカユニット２０は、ピアノの演奏時には図６に示す位置にあるが、調律時には空洞６から引き出されて、鍵１９の歯並びやレペティション装置７の調整等が行われる。
【０００４】
次に、図９を参照して、ピアノの消音装置の仕組みについて簡単に説明する。なお、以下に述べる回動アーム２３及び回動アーム固定具２４から構成されるピアノの消音装置の構造は、公知の技術、公然実施されている技術及び文献により公知になっている技術ではない。
【０００５】
弦１０とハンマーシャンク１１の間の空間に回動軸１２が配置され、回動軸１２の周面から一方向に消音バー１３が突出している。回動軸１２は、回動アーム２３によって回動自在に支持されており、図示していない回動機構により回動される。回動アーム２３と回動アーム２３を固定する回動アーム固定具２４の構造については後述する。消音バー１３は回動軸１２の回動に伴い第一の回動位置と第二の回動位置の間で移動する。図９において、実線で示した消音バー１３の位置が、回動軸１２が第一の回動位置に位置する状態であり、一点鎖線で示した消音バー１３の位置が、回動軸１２が第二の回動位置に位置する状態である。
【０００６】
消音バー１３が第一の回動位置に位置する場合（この場合を「消音モード」とする。）、押鍵によってハンマーシャンク１１は跳ね上るが、ハンマーシャンク１１の先端に設けられたハンマー１４が弦１０を叩く前にハンマーシャンク１１が消音バー１３に当たる。したがって、この場合、ハンマー１４が弦１０を叩くことはないため、弦１０から音は発生しない。図９に、消音バー１３との衝突時におけるハンマーシャンク１１及びハンマー１４を二点鎖線で示す。なお、消音バー１３の先端には緩衝材１５が取り付けられ、この緩衝材１５はハンマーシャンク１１と消音バー１３との衝突により発生する衝突音を緩和する。また、消音モードにおいては、図６に示す、鍵１９の下に配置された押鍵検出スイッチ１８が鍵１９の押鍵の有無及びその強弱を検出して、押鍵の態様に応じた音を電子的に発生させる。
【０００７】
一方、消音バー１３が第二の回動位置に位置する場合（この場合を「アコースティックモード」とする。）、押鍵によってハンマーシャンク１１は跳ね上るが、ハンマーシャンク１１が消音バー１３に当たることはない。したがって、この場合、ピアノの消音装置が取り付けられていない場合と同様に、ハンマーシャンク１１の先端に設けられたハンマー１４は弦１０を叩き、これにより弦１０から音が発生する。
【０００８】
消音装置付きピアノの演奏者は、回動軸１２の回動位置を切り替える手段により、消音モードとアコースティックモードとを自由に選択することができる。
【０００９】
次に、図７から図９を参照して、回動軸１２を支持し、ピアノの消音装置の取り付け時に回動可能な回動アーム２３と、ピアノに取り付けられ、回動アーム２３を固定する回動アーム固定具２４とを説明する。
まず、回動アーム固定具２４について説明する。回動アーム固定具２４は、互いに対向する二枚の平板部と、それらの平板部を連結する連結部２４ｂとから構成され、この例では、一枚の金属板をコ字型に折り曲げることにより形成されている。
【００１０】
平板部に形成された切欠２４ａをハンマーレール２５に引っ掛け、連結部２４ｂに形成された第一のねじ穴２４ｄに螺合されたアーム固定具取付ねじ３３の先端をハンマーレール２５に突き当てることにより、回動アーム固定具２４とハンマーレール２５が固定される。また、回動アーム固定具取付ねじ３３は、ねじ緩止ナット３４と連結部２４ｂのダブルナット効果によって固定されてその緩みが防止される。
【００１１】
図１１に、一般的なグランドピアノにピアノの消音装置を取り付けて上から見たときの状態を示す。図１１に示すように、複数のハンマーシャンク１１及び複数のハンマー１４がハンマーレール２５の延伸方向に配列されているが、互いに隣接するハンマーシャンク１１の間に、ハンマーレール２５を固定するためのブラケット２６が設置される少し広めの空間ｓが空いている場所が数箇所ある。回動アーム固定具２４は、これらの空間ｓ及びハンマーレール２５の両端にそれぞれ設置される。具体的には、回動アーム固定具２４は、ハンマーレール２５を基台２１に固定するブラケット２６とぶつからないようにするために、回動アーム固定具２４の２枚の平板部の間にブラケット２６が位置するように、ハンマーレール２５に取り付けられる。
【００１２】
再度、図７から図９を参照して説明をする。回動アーム２３のピアノの奥側（図９では紙面に対して右側）に位置する後方突出部２３ａの先端に回動軸１２が回動自在に支持される。回動アーム２３の中央突出部２３ｂには、回動支持軸２３ｃが回動アーム２３の面に対して垂直に突出して設けられている。回動支持軸２３ｃは、その外周にねじが切られており、回動アーム固定具２４に形成された穴２４ｃに挿入されて、軸固定ナット３６により、回動アーム２３が回動アーム固定具２４に対して回動自在となるように締結される。
【００１３】
回動アーム固定具２４の連結部２４ｂに形成された第二のねじ穴２４ｄ’には雌ねじが切られている。微調整金具固定ねじ３５は、微調整金具３０の穴３０ｂに挿入され、第二のねじ穴２４ｄ’に螺合される。これにより、微調整金具３０は、回動アーム固定具２４に固定される。
【００１４】
回動アーム２３の前方突出部２３ｄには折曲部２３ｅが形成され、その折曲部２３ｅにはねじ２３ｆが突出して設けられている。ねじ２３ｆは、微調整金具３０の裏側に位置する高さ決めナット３１に螺合されて、微調整金具３０に形成された長穴３０ａに挿入される。回動アーム２３は、自重、回動軸１２及び消音バー１３の重みにより、回動支持軸２３ｃを中心として、図９の紙面における時計回りに回動しようとする。しかし、ねじ２３ｆに螺合された高さ決めナット３１が微調整金具３０に当たり、回動アーム２３の回動が阻止される。
【００１５】
この構成により、高さ決めナット３１のねじ２３ｆへの取り付け位置を変えると、回動アーム２３の回動阻止位置を変えることが可能となり、その結果として回動軸１２及び消音バー１３の高さ方向の位置を調整することが可能となる。
【００１６】
消音バー１３の位置が決まったら、微調整金具３０の表裏を、高さ決めナット３１及び微調整金具の表側に位置する微調整固定ナット３２で挟みつけて固定する。これにより、回動アーム２３及び消音バー１３の位置が固定される。
【００１７】
ねじ２３ｆ、微調整金具３０、高さ決めナット３１、微調整固定ナット３２及び微調整金具固定ねじ３５からなる消音バー支持位置微調手段は、このように回動軸１２及び消音バー１３の位置を微調整する機能を有する。
【００１８】
このように、回動アーム２３は、回動支持軸２３ｃ及び微調整金具３０を介して、回動アーム固定具２４に固定される。一方、回動支持軸２３ｃに締結された軸固定ナット３６（図７参照）を緩めると共に、微調整金具３０による回動アーム２３と回動アーム固定具２４との固定を解除することにより、回動支持軸２３ｃを中心にして、回動アーム２３を回動することが可能である。これにより、ピアノの消音装置の取り付け作業及び取り外し作業が容易になるというメリットがある。
【００１９】
すなわち、ハンマーレール２５にピアノの消音装置が取り付けられた状態においては、図９に例示するように、ピン板２８の下面より回動アーム２３の後方突出部２３ａや消音バー１３の高さの方が高い。この状態では、ピアノの消音装置を含む鍵盤メカユニット２０をピアノの手前側に引き出す方向に移動させようとするとピン板２８と、回動アーム２３の後方突出部２３ａ又は消音バー１３とがぶつかるため、鍵盤メカユニット２０を図９の紙面における左右方向に移動することはできない。
【００２０】
一方、微調整金具固定ねじ３５（図７参照）を取り外して、図１０に示すように、後方突出部２３ａを基台２７に近づく方向に回動アーム２３を回動させる。この状態では、回動アーム２３の後方突出部２３ａ、消音バー１３及びハンマー１４は、ピン板２８の下面より寸法ｃだけ低くなるので、鍵盤メカユニット２０を図１０の紙面における左右方向に移動することができる。これにより、鍵盤メカユニット２０の鍵１９の高さ調整、レペティション装置７の調整作業及びピアノの消音装置の取付作業並びに取外作業を、ピアノの外で行うことが可能となり、作業性が向上するというメリットが生まれる。
【発明の開示】
【発明が解決しようとする課題】
【００２１】
背景技術に記載されたピアノの消音装置においては、上記したように、図１１に例示するように、回動アーム固定具２４は、ハンマーレール２５を基台に固定するブラケット２６とぶつからないようにするために、回動アーム固定具２４の２枚の平板部の間にブラケット２６が位置するように、ハンマーレール２５に取り付けられていた。
【００２２】
このため、回動アーム固定具２４の厚みＢ（図７参照）は、少なくとも、ブラケット２６の厚み＋回動アーム固定具２４の平板部の厚み×２となっていた。すなわち、回動アーム固定具２４の厚みＢは、ブラケット２６の厚みよりも必ず大となっていた。
【００２３】
このため、空間ｓの幅（空間ｓのハンマーレール２５の延伸方向の長さ）が狭いピアノには、その空間ｓに回動アーム固定具２４を取り付けることができない場合があるという問題、言い換えれば、背景技術に記載したピアノの消音装置を取り付けることができない場合があるという問題があった。
【００２４】
この発明は、空間ｓの幅が狭いピアノにも取り付けることができるピアノの消音装置及びそのピアノの消音装置が取り付けられたピアノを提供することを目的とする。
【課題を解決するための手段】
【００２５】
この発明によるピアノの消音装置は、弦とハンマーシャンクとの間に配置される回動軸と、回動軸の周面から一方向に突出され、回動軸の第一の回動位置においてハンマーが弦を叩くのを阻止し、回動軸の第二の回動位置においてハンマーが弦を叩くのを阻止しない消音バーと、回動軸を支持し、ピアノの消音装置の取り付け時に回動可能な回動アームと、ハンマーレールに取り付けられ、その回動アームを固定する回動アーム固定具と、を備える。回動アーム固定具は、ハンマーレールを下から固定するブラケットとぶつからないようにハンマーレールを跨いでいる。
この発明の消音装置付きピアノは、上記ピアノの消音装置を備える。
【発明の効果】
【００２６】
回動アーム固定具を、ハンマーレールを下から固定するブラケットとぶつからないようにハンマーレールを跨いで取り付けることにより、ブラケットが配置されている箇所において、互いに隣接するハンマーシャンク１１の間の空間ｓが狭い場合であっても、その箇所を利用してピアノの消音装置を取り付けることが可能となる。
【発明を実施するための最良の形態】
【００２７】
この発明によるピアノの消音装置は、回動アーム固定具の構造のみが背景技術の欄に記載したピアノの消音装置とは異なる。したがって、以下では、その異なる部分を中心に説明する。他の部分は背景技術の欄に記載したピアノの消音装置と同じであるため説明を省略する。
【００２８】
図１及び図２を参照してこの発明によるピアノの消音装置の一実施例の要部について説明する。図１はこの発明における回動アーム固定具の一例の斜視図であり、図２はこの発明による回動アーム固定具の、ハンマーレールへの取り付け状態の一例の側面図である。
回動アーム固定具２２は、略Ｌ字型をしており、一方向に延伸形成された中央部２２ａと、その中央部２２ａの一端から一方の側に突出された係合部２２ｂと、中央部２２ａの他端から同じ側に伸びる固定部２２ｃとを備える。
【００２９】
この例では、回動アーム固定具２２は、金属、樹脂等の強度が十分に強い一枚の厚板から成る。回動アーム固定具２２の厚みＡ（図１参照）は、空間ｓの幅やその材質の強度に依存するが、金属板の場合には例えば８から１０ｍｍ程度にする。例えば、一枚の金属厚板をレーザーカットすることにより、回動アーム固定具２２を高い精度で形成することができる。レーザーカットは、生産コストの点から生産数量が少ない場合に適する。
【００３０】
回動アーム固定具２２の中央部２２ａの内面（図１，２における中央部２２ａの下側の面）には、係合部２２ｂが設けられた端にかけて段部２２ｄが形成される。この例では、図２にするようにハンマーレール２５の上面は二段になっており、その段の高さｈ１と、段部２２ｄの高さｈ２とが一致するように、段部２２ｄが形成される。段部２２ｄは必須ではないが、このように、ハンマーレール２５の上面の形状に合致する段部２２ｄを設けることにより、ハンマーレール２５と回動アーム固定具２２とをより安定して取り付けることができる。
【００３１】
中央部２２ａの係合部２２ｂが設けられた端には、背景技術の回動アーム固定具２４の穴２４ｃに対応する穴２２ｅが形成され、この穴２２ｅに背景技術に記載したのと同様に回動アーム２３の回動支持軸２３ｃが挿通される。
回動アーム固定具２２の係合部２２ｂは、ハンマーレール２５の背面（図２におけるハンマーレール２５の右側の面）に合致する形状とされる。
【００３２】
固定部２２ｃには、回動アーム固定具取付ねじ３３を螺合するねじ穴２２ｆ（背景技術の回動アーム固定具２４のねじ穴２４ｄに対応）と、微調整金具固定ねじ３５が螺合されるねじ穴２２ｇ（背景技術の回動アーム固定具２４のねじ穴２４ｄ’に対応）の少なくとも２以上の穴が形成される。固定部２２ｃは、回動アーム固定具２２及び固定部２２ｃの剛性を高めるため、中央部２２ａに近づくにつれて太く形成される。もちろん、固定部２２ｃの太さを一定にしてもよい。
【００３３】
回動アーム固定具２２をハンマーレール２５の上から被せ、回動アーム固定具２２がハンマーレール２５を跨ぐようにする。その後、係合部２２ｂをハンマーレール２５の背面に係合させて、固定部２２ｃのねじ穴２２ｆに螺合した回動アーム固定具取付ねじ３３の先端をハンマーレール２５の前面（図２におけるハンマーレール２５の左側の面）に突き当てることにより、回動アーム固定具２２がハンマーレール２５に取り付けられる。回動アーム固定具取付ねじ３３は、ねじ緩止ナット３４と固定部２２ｃとの間のダブルナット効果によって固定されてその緩みが防止される。
【００３４】
このように、回動アーム固定具２２がハンマーレール２５を下から固定するブラケット２６とぶつからないように、回動アーム固定具２２をハンマーレール２５に跨がせて取り付けることにより、回動アーム固定具２２の厚さはブラケット２６の厚さに依存しなくなる。このため、回動アーム固定具２２の厚さをブラケット２６の厚さよりも薄くすることができる。
【００３５】
したがって、回動アーム固定具２２は、互いに隣接するハンマーシャンク１１の間の空間ｓ（図１１参照）が狭い場合であっても、取り付けが可能である。すなわち、本発明によるピアノの消音装置は、空間ｓが狭い場合であっても、取り付けが可能である。
【００３６】
［変形例］
生産数量が多い場合には、ダイカスト等の金型鋳造法や、射出成型等の樹脂加工法により、回動アーム固定具２２を形成してもよい。
上記の例では、回動アーム固定具２２を一枚の厚板から形成したが、回動アーム固定具２２を例えば電気亜鉛メッキ鋼板から成る板金を塑性加工することにより形成してもよい。これにより、材料費を低減することができる。
【００３７】
以下では、図３ＡからＣに例示する回動アーム固定具本体２２１と、図４ＡからＣに例示する回動軸固定部２２２の２部品を組み合わせて回動アーム固定具２２を形成する場合を例に挙げて説明をする。
まず、第一の板金を切り抜いて、図３ＡからＢに例示するように折り曲げて、回動アーム固定具本体２２１を形成する。板金の厚さは、空間ｓの幅や求める強度に依存して異なるが、例えば１．２ｍｍとする。
【００３８】
具体的には、まず、固定部２２１ｃの脚部ｃ２，ｃ３を折り曲げ、固定部２２１ｃの基部ｃ１に対して垂直となるようにする。同様に、係合部２２１ｂの脚部ｂ２，ｂ３を折り曲げ係合部２２１ｂの基部ｂ１に対して垂直になるようにし、中央部２２１ａの脚部ａ２，ａ３を折り曲げ中央部２２１ａの基部ａ１に対して垂直となるようにする。
【００３９】
その後、中央部２２１ａと固定部２２１ｃの境界、及び、中央部２２１ａと係合部２２１ｂの境界において、回動アーム固定具本体２２１を折り曲げる。
【００４０】
これにより、中央部２２１ａの脚部ａ２と固定部２２１ｃの脚部ｃ２とが、ａｃ２で当接する。また、中央部２２１ａの脚部ａ３と固定部２２１ｃの脚部ｃ３とが、ａｃ３で当接する。同様に、中央部２２１ａの脚部ａ２と係合部２２１ｂの脚部ｂ２とがａｂ２で当接し、中央部２２１ａの脚部ａ３と係合部２２１ｂの脚部ｂ３とがａｂ３で当接する。各脚部ａ２，ａ３，ｂ２，ｂ３，ｃ２，ｃ３は、ａｂ２，ａｂ３，ａｃ２，ａｃ３において、当接する脚部とスポット溶接等の固定手段により接合される。
【００４１】
固定部２２１ｃの基部ｃ１に形成された２つの穴に、かしめナットｃ４，ｃ５が嵌合されている。これらかしめナットｃ４，ｃ５が形成するねじ穴が、上記実施例のねじ穴２２ｆ，２２ｇに対応する。また、係合部２２１ｂの基部ｂ１に形成された穴にかしめナットｂ４が嵌合されており、また、基部ｂ１には突起ｂ５が設けられる。
【００４２】
これにより、回動アーム固定具本体２２１の中央部２２１ａ、係合部２２１ｂ及び固定部２２１ｃのそれぞれは、その延伸方向に対して垂直な断面が、回動アーム固定具本体２２１の内側に開口を有するコの字型となる。
【００４３】
また、第二の板金を切り抜いて、図４ＡからＣに例示するように折り曲げて、回動軸固定部２２２を形成する。具体的には、図４に示すように皿穴が形成された皿穴部ｆ１に対して、２つの穴ｆ３，ｆ４が形成された当接部ｆ２が垂直になるようにする。
【００４４】
そして、図３ＡからＣに例示する係合部２２ｂの基部に形成された突起ｂ５を、回動軸固定部２２２の穴ｆ４に嵌合する。また、図示していないねじを、穴ｆ３に挿入して、係合部２２ｂの基部に嵌合されたかしめナットｂ４に螺合する。これにより、回動アーム固定具本体２２１と回動軸固定部２２２とが組み合わせられる。このようにして、回動アーム固定具２２を形成してもよい。
【００４５】
ブラケット２６が、前方（図２の紙面に対して左方向）に突出しており、互いに隣接するハンマーシャンク１１の間の空間ｓに余裕がある場合には、例えば、上記のようにして形成された断面がコの字型の固定部２２ｃの脚部ｃ２，ｃ３の間に、ブラケット２６の突出部が挟まれるようにする。これにより、回動アーム固定具取付ねじ３３を螺合してハンマーレール２５の前面に突き当てる際に生じ得る、回動アーム固定具２２の、回動アーム固定具取付ねじ３３の回転軸周りの回転を防止することができる。
【００４６】
上記の例では、ねじ緩止ナット３４と固定部２２ｃとの間のダブルナット効果によって回動アーム固定具取付ねじ３３の緩みを防止したが、ねじ穴２２ｆをタッピングねじ用の下穴とし、回動アーム固定具取付ねじ３３としてタッピングねじを用いることにより、ねじ緩止ナット３４を不要とすることができる。すなわち、タッピングねじである回動アーム固定具ねじ３３をタッピングねじ用の下穴であるねじ穴２２ｆに螺合することにより、回動アーム固定具ねじ３３は緩み難くなり、ねじ緩止ナット３４を不要とすることができる。
【図面の簡単な説明】
【００４７】
【図１】この発明による回動アーム固定具を例示する斜視図。
【図２】この発明による回動アーム固定具の、ハンマーレールへの取り付け状態を例示する側面図。
【図３】Ａは回動アーム固定具本体の平面図であり、Ｂはその正面図であり、Ｃはその側面図。
【図４】Ａは回動軸固定部の正面図であり、Ｂはその側面図であり、Ｃはその平面図。
【図５】一般的なグランドピアノの概要を説明するための図。
【図６】一般的なグランドピアノの概要を説明するための図。
【図７】回動アームと背景技術による回動アーム固定具の取付構造を示す斜視図。
【図８】背景技術による回動アーム固定具の、ハンマーレールへの取付状態を示す側面図。
【図９】背景技術による回動アームが固定されている状態のピアノの消音装置を横から見た模式図。
【図１０】背景技術による回動アームが回動した状態のピアノの消音装置を横から見た模式図。
【図１１】背景技術によるピアノの消音装置の概略を示す平面図。
【符号の説明】
【００４８】
１０  弦、１１  ハンマーシャンク、１２  回動軸、１３  消音バー、１４  ハンマー、２２  回動アーム固定具、２２ａ  中央部、２２ｂ  係合部、２２ｃ  固定部、２３  回動アーム、２４  回動アーム固定具、２５  ハンマーレール、２６  ブラケット
【図１】
0005176105.tif 000002
【図２】
0005176105.tif 000003
【図３】
0005176105.tif 000004
【図４】
0005176105.tif 000005
【図５】
0005176105.tif 000006
【図６】
0005176105.tif 000007
【図７】
0005176105.tif 000008
【図８】
0005176105.tif 000009
【図９】
0005176105.tif 000010
【図１０】
0005176105.tif 000011
【図１１】
0005176105.tif 000012